(57)【要約】【課題】搬送時の振動による接触跡が残らず、しかも簡単な構造でパネルの収納作業を容易に行うことができる。【解決手段】複数枚のパネル２を水平方向に向けて板厚方向に積み重ねて収納する収納部１３を有する容器本体１１と、容器本体１１の開口を塞ぐ蓋体１２と、を備えたパネル搬送用容器であって、容器本体１１の周壁には、収納部１３の内方へ向けて突出する保持片３が設けられ、容器本体１１が発泡材料により形成され、保持片３が非発泡樹脂により形成された構成の容器１を提供する。【選択図】図１
2014193738.tif 000002
【特許請求の範囲】
【請求項１】
複数枚のパネルを水平方向に向けて板厚方向に積み重ねて収納する収納部を有する容器本体と、該容器本体の開口を塞ぐ蓋体と、を備えたパネル搬送用容器であって、
前記容器本体の周壁には、前記収納部の内方へ向けて突出するパネル端面保持部が設けられ、
前記容器本体が発泡材料により形成され、前記パネル端面保持部が非発泡樹脂により形成されていることを特徴とするパネル搬送用容器。
【請求項２】
前記パネル端面保持部は、上方から差し込むことにより着脱自在に嵌合されていることを特徴とする請求項１に記載のパネル搬送用容器。
【請求項３】
前記パネル端面保持部は、前記容器本体の周壁に着脱自在に嵌合された発泡材料からなる介装部材に設けられていることを特徴とする請求項１又は２に記載のパネル搬送用容器。
【請求項４】
前記収納部は、仕切壁によって複数の収納部に区画され、
前記パネル端面保持部は、前記容器本体の周壁、及び前記仕切壁に設けられていることを特徴とする請求項１乃至３のいずれかに記載のパネル搬送用容器。
【発明の詳細な説明】
【技術分野】
【０００１】
本発明は、液晶パネル等のパネルを水平方向に向けて板厚方向に積み重ねて収納するパネル搬送用容器に関する。
【背景技術】
【０００２】
従来、この種のパネル搬送用容器として、特許文献１、２に記載されるようなクッション性をもたせたパネル保持部材を備えたものが知られている。
【０００３】
特許文献１には、容器本体とパネル保持部とがそれぞれ別体で設けられていて、容器本体の比重（見かけ密度）を４５〜３００ｋｇ／ｍ３、パネル保持部の見かけ密度を１０〜９０ｋｇ／ｍ３とし、容器本体よりもパネル保持部の見かけ密度を小さくすることでクッション性をもたせ、容器を運搬する際に収納されるパネルの負荷を小さくする構成の容器について記載されている。
【０００４】
特許文献２には、容器本体の内側にエアバックを備え、このエアバックの外側に発泡ポリエチレンや発泡ポリプロピレンを貼り付け、これら発泡材の粘着性によりパネルに密着させて傷や破損を防止する構成であって、パネルを容器本体内に収納した後、エアバックに空気を入れてクッション性をもたせ内容物に密着させる構成について開示されている。
【先行技術文献】
【特許文献】
【０００５】
【特許文献１】特開２００７−３１４２３６号公報
【特許文献２】実用新案登録第３１２０７０７号公報
【発明の概要】
【発明が解決しようとする課題】
【０００６】
しかしながら、上述した特許文献１に示すパネル搬送用容器の場合には、パネル保持部がクッション性を有するので、パネル保持部におけるパネルが接触する部分（つまり、パネル支持部の突出端）に接触跡が残ってしまうという問題があった。
また、特許文献２では、パネルを収納した後にエアバックにエアを入れてパネルと密着させる構成であるが、パネルを容器本体内に収納した後にエアバックにエアを入れる作業が必要となることから、容器の構造が複雑になるうえ、収納作業が煩雑となることから、その点で改善の余地があった。
【０００７】
本発明は、上述する問題点に鑑みてなされたもので、搬送時の振動による接触跡が残らず、しかも簡単な構造でパネルの収納作業を容易に行うことができるパネル搬送用容器を提供することを課題とする。
【課題を解決するための手段】
【０００８】
上記目的を達成するため、本発明に係るパネル搬送用容器では、複数枚のパネルを水平方向に向けて板厚方向に積み重ねて収納する収納部を有する容器本体と、該容器本体の開口を塞ぐ蓋体と、を備えたパネル搬送用容器であって、前記容器本体の周壁には、前記収納部の内方へ向けて突出するパネル端面保持部が設けられ、前記容器本体が発泡材料により形成され、前記パネル端面保持部が非発泡樹脂により形成されていることを特徴としている。
【０００９】
本発明では、容器本体の周壁より突出するパネル端面保持部によってパネルの外周端面が保持された状態で、パネルを容器本体の収納部に収納することができる。この場合、パネル端面保持部が非発泡樹脂であって、緩衝性を有する発泡材料からなる容器本体よりも硬い材質であることから、搬送時のパネルが振動した場合にパネル端面保持部を介して容器本体が弾性変形してその振動を吸収することができる。そのため、搬送中にパネル搬送用容器を落下させてしまった場合でも、パネルの破損を防止することができ、かつ発泡材料からなる容器本体自体の破損も抑制することができる。
【００１０】
また、本発明の場合には、パネル端面保持部が非発泡樹脂であって硬い部材であるので、パネル端面保持部におけるパネルの外周端面に直接、接触する部分にパネル接触跡が残ることがない。また、発泡材料からなる容器本体も直接、パネルが接触することがないので、パネル搬送容器の振動時に、パネル接触跡が付くことがなく、しかもパネルと発泡材料とが擦れることがないことから、収納部内で擦れによって粉じんが発生することもなく、搬送に伴う品質の低下を防止することができる。
【００１１】
また、本発明に係るパネル搬送用容器では、前記パネル端面保持部は、上方から差し込むことにより着脱自在に嵌合されていることが好ましい。
【００１２】
この場合には、パネル端面保持部が容器本体に対して別体で設けられているので、それぞれ別部材から形成されるパネル端面保持部と容器本体とを別工程で製作することができる。しかも、本発明では、容器本体に対して上方から差し込むといった簡単な作業によりパネル端面保持部を容器本体に装着することができる。
【００１３】
また、本発明に係るパネル搬送用容器では、前記容器本体は、前記パネル端面保持部の周壁に着脱自在に嵌合された発泡材料からなる介装部材に設けられていることが好ましい。
【００１４】
本発明では、容器本体と同じ発泡材料からなる介装部材を介してパネル端面保持部を設けることができ、収納部内でのパネル端面保持部の位置を変更することができるので、異なる大きさの介装部材を使用することで収納するパネルのサイズに合わせて収納部の大きさを変更することができる。したがって、１つの容器本体でサイズの違う複数種のパネルの収納に対応することができる。
【００１５】
また、本発明に係るパネル搬送用容器では、前記収納部は、仕切壁によって複数の収納部に区画され、前記パネル端面保持部は、前記容器本体の周壁、及び前記仕切壁に設けられていてもよい。
【００１６】
本発明では、１つの容器本体内に複数の収納部を形成することができ、小さいサイズのパネルの収納にも対応することができる。しかも、区画されたそれぞれの収納部毎にパネル端面保持部を設けることができるため、各収納部に収納されるパネルを保持するパネル端面保持部が容器本体の周壁、及び仕切壁よりも収納部側に突出しているので、パネルが直接、周壁、及び仕切壁に接触することはなく、前述したようにパネル端面保持部だけでなく周壁、及び仕切壁に対しても接触跡が残るのを防止することができる。
【発明の効果】
【００１７】
本発明のパネル搬送用容器によれば、搬送時の振動による接触跡が残らず、しかも簡単な構造でパネルの収納作業を容易に行うことができるという効果を奏する。
【図面の簡単な説明】
【００１８】
【図１】本発明の第１の実施の形態によるパネル搬送用の容器の構成を示す斜視図である。
【図２】図１に示す容器本体でパネルが収納されていない状態の斜視図である。
【図３】保持片の嵌合構造を示す斜視図である。
【図４】第２の実施の形態によるパネル搬送用の容器の構成を示す斜視図である。
【図５】図４に示す容器本体で緩衝部材が取り外された状態を示す斜視図である。
【図６】第２の実施の形態による容器本体にパネルが収納された状態を示す斜視図である。
【図７】第３の実施の形態によるパネル搬送用の容器の構成を示す斜視図である。
【図８】図７に示す容器本体でパネルが収納されていない状態の斜視図である。
【図９】変形例によるパネル搬送用の容器の構成を示す斜視図である。
【発明を実施するための形態】
【００１９】
以下、本発明の実施の形態によるパネル搬送用容器について、図面に基づいて説明する。
【００２０】
（第１の実施の形態）
図１に示すように、本実施の形態によるパネル搬送用容器（以下、単に容器１という）は、例えば薄肉の２枚のガラス同士の間に液晶を封じ込めた液晶パネル等の複数枚のパネル２を搬送する際に用いられるものである。
容器１は、複数枚のパネル２を水平方向に向けて板厚方向に積み重ねて収納する収納部１３を有する容器本体１１と、この容器本体１１の開口１１ａを塞ぐ蓋体１２と、を備えている。容器本体１１及び蓋体１２は、ピオセラン（登録商標）等の発泡材料からなる樹脂により形成されている。
【００２１】
具体的に容器本体１１及び蓋体１２は、任意の発泡樹脂成形体で作ることができるが、熱可塑性樹脂の発泡成形体であることが好ましい。熱可塑性樹脂には、ポリスチレン系樹脂、ポリオレフィン系樹脂（例えば、ポリプロピレン系樹脂、ポリエチレン系樹脂）、ポリエステル系樹脂（例えば、ポリエチレンテレフタレート、ポリブチレンテレフタレート、ポリエチレンナフタレート）、ポリカーボネート系樹脂、ポリ乳酸系樹脂などが挙げられる。
なかでも、ポリスチレンとポリエチレンとを含む複合樹脂（すなわち、上記ピオセラン（登録商標））を用いることが好ましい。
【００２２】
ここで、図１において、容器１は容器本体１１の開口１１ａを上にして配置され、この配置状態において上下方向に沿って収納部１３の開口１１ａ側を上側といい、その反対側（底部１１ｂ側）を下側という。
【００２３】
図２に示すように、容器本体１１は、平面視で矩形状に形成されており、平板状の底壁１４と、底壁１４の外周縁端部で一体連結する周壁１５と、を備えている。周壁１５には、各辺において収納部１３の内方へ向けて突出する保持片３（パネル端面保持部）が設けられている。
【００２４】
周壁１５は、四隅のそれぞれの隅角部分に角凹部１５ａが形成されるとともに、前記隅角部分を除いた直線部分には保持片３を嵌合させるための第１係止溝１５ｂが複数（本実施の形態では各辺に２箇所であり、容器全体で８箇所）設けられている。角凹部１５ａは、収納部１３に収納されるパネル２の角部２ｂ（図１参照）を周壁１５から離間させるために設けられており、パネル２が収納された容器１の搬送時において、例えば容器１が落下した場合でもパネル角部２ｂが周壁１５の隅角部分に接触しないようになっている。
【００２５】
第１係止溝１５ｂは、図３に示すように、周壁１５の上下方向に沿って延在し、その溝開口がその奥の溝部よりも狭くなっている。そして、第１係止溝１５ｂは、図２に示すように、周壁１５の辺毎に間隔をあけて２箇所ずつ設けられ、周壁１５の長辺同士、及び短辺同士で対向するように配置されている。
【００２６】
保持片３は、図３に示すように、互いに平行に配置される一対のフランジ部３１、３１と、両フランジ部３１、３１同士をそれらの幅方向の中心同士を連結する連結部３２と、によりＨ型断面を形成してなる。フランジ部３１の厚さ寸法は、保持片３の周壁１５からの突出量となり、０．５〜５．０ｍｍの範囲で設定される。この範囲にすることで、収納部１３に収納されるパネル２が振動しても周壁１５に接触するのを防止することができる。例えば、フランジ部３１の厚さを２ｍｍの場合、前述した第１係止溝１５ｂの溝幅（周壁１５の壁厚方向の溝寸法）も２ｍｍに設定される。連結部３２は、第１係止溝１５ｂの溝開口を形成する開口部の厚さ寸法に一致している。
【００２７】
保持片３は、エラストマー、ソリッドプラスチック（ＬＤＰＥ（インジェクション品））等の非発泡樹脂により形成され、発泡材料から形成される容器本体１１よりも硬い材質のものが用いられている。本実施の形態では、密度が９５０ｋｇ／ｍ３〜１２００ｋｇ／ｍ３のエラストマーが用いられている。また、ポリエチレンを用いる場合には、密度が９１５ｋｇ／ｍ３〜９６０ｋｇ／ｍ３程度のものが用いられ、表面固有抵抗値が１０９〜１０１２（Ω）のものを使用することが好ましい。
【００２８】
保持片３は、一方のフランジ部３１Ａを容器本体１１の第１係止溝１５ｂの前記溝部に上方から差し込むことにより着脱自在な状態で周壁１５に嵌合されている。そして、一方のフランジ部３１Ａが第１係止溝１５ｂに嵌合することで保持片３が容器本体１１に保持され、この保持された状態で他方のフランジ部３１Ｂが周壁１５の内面１５ｃから突出する。このときの保持片３の他方のフランジ部３１Ｂの突出量（つまり周壁１５の内面１５ｃから他方のフランジ部３１Ｂの収納部１３側の端面（突出端３１ａ）までの距離）は、フランジ部３１の厚さ分、すなわち２ｍｍとなる。他方のフランジ部３１Ｂは、その突出端３１ａによって複数枚が積み重ねられたパネル２の外周端面２ａ（図１参照）を接触することで保持する。
【００２９】
また、保持片３の突出端３１ａと、収納部１３に収納されたパネル２との間の間隔（隙間）は、１ｍｍからパネル２の長さの０．２％に２ｍｍを加えた寸法の範囲に設定されている。つまり、収納部１３に収納されるパネル２は、保持片３によって前記僅かな隙間をあけた状態で保持される。
【００３０】
図１に示すように、蓋体１２の下面外周部には、その外周に沿って適宜な間隔をもって複数の嵌合凸部１２ａが突設されている。これら嵌合凸部１２ａは、容器本体１１の周壁１５の上端に形成された嵌合凹部１５ｄに嵌合される。
【００３１】
なお、図示の例の容器１では、容器本体１１と蓋体１２との組み合わせで１セットとしているが、これに限らず、容器本体１１を複数段、段積みし、最上段の容器本体１１の収納部１３の開口を蓋体１２で閉塞する構成とすることも可能である。この場合、図１に示すように、容器本体１１の底壁１４の下面外周部にも前述の蓋体１２と同様に、外周に沿って適宜な間隔をもって複数の嵌合凸部１４ａを突設させておけばよい。つまり、容器本体１１同士を上下に段積みする場合には、下段側に配置される容器本体１１の嵌合凹部１５ｄに、上段側に配置される容器本体１１の嵌合凸部１４ａを嵌合させればよい。
【００３２】
次に、上述した構成のパネル搬送用容器の作用について、図面に基づいて詳細に説明する。
図１及び図２に示すように、本実施の形態の容器１では、容器本体１１の周壁１５より突出する保持片３によってパネル２の外周端面２ａが保持された状態で、パネル２を容器本体１１の収納部１３に収納することができる。
この場合、保持片３が非発泡樹脂であって、緩衝性を有する発泡材料からなる容器本体１１よりも硬い材質であることから、搬送時のパネル２が振動した場合に保持片３を介して容器本体１１が弾性変形してその振動を吸収することができる。そのため、搬送中に容器１を落下させてしまった場合でも、パネル２の破損を防止することができ、かつ発泡材料からなる容器本体１１自体の破損も抑制することができる。
【００３３】
また、本実施の形態では、保持片３が非発泡樹脂であって硬い部材であるので、保持片３におけるパネル２の外周端面２ａに直接、接触する部分にパネル接触跡が残ることがない。また、発泡材料からなる容器本体１１も直接、パネル２が接触することがないので、容器１の振動時に、パネル接触跡が付くことがなく、しかもパネル２と発泡材料とが擦れることがないことから、収納部１３内で擦れによって粉じんが発生することがなく、搬送に伴う品質の低下を防止することができる。
【００３４】
また、本実施の形態では、保持片３が容器本体１１に対して別体で設けられているので、それぞれ別部材から形成される保持片３と容器本体１１とを別工程で製作することができる。しかも、容器本体１１に対して上方から差し込むといった簡単な作業により保持片３を容器本体１１に装着することができる。
【００３５】
さらに、収納時にパネル２と保持片３との間の隙間を１ｍｍからパネル２の長さの０．２％に２ｍｍを加えた寸法の範囲とすることで、パネル周りに収納余裕の隙間を設けることができ、収納部１３へのパネル２の収納を容易に行うことができる。しかも容器１に振動が加わった際のパネル２の振れが大きくなるのを抑えることができる。
【００３６】
上述のように本実施の形態によるパネル搬送用容器では、搬送時の振動による接触跡が保持片３や容器本体１１の周壁１５に残らず、しかも簡単な構造でパネル２の収納作業を容易に行うことができるという効果を奏する。
【００３７】
（第２の実施の形態）
次に、図４乃至図６に示すように、第２の実施の形態による容器１Ａは、複数の保持片３のうち一部が容器本体１１の周壁１５に着脱自在に嵌合された緩衝部材４（介装部材）に設けられている。周壁１５のうち長辺及び短辺それぞれの１辺の内面１５ｃには、第１係止溝１５ｂ同士の間の位置において長辺部に２箇所、短辺部に１箇所の凹陥部１５ｅが配置されている。この凹陥部１５ｅの底面には、周壁１５の上下方向に沿って延びるキー溝１５ｆが形成されている。
【００３８】
緩衝部材４は、収納部１３の深さ寸法と同等の高さ寸法を有する上面視で略矩形のブロック形状をなし、容器本体１１と同様にピオセラン（登録商標）等の発泡材料からなる樹脂により形成されている。緩衝部材４は、図４に示すように、一端面４ａ側が周壁１５の凹陥部１５ｅに嵌合するとともに、その一端面４ａにキー溝１５ｆに係合可能な突起部４１が設けられており、容器本体１１（周壁１５の内面１５ｃ）に対して着脱自在に設けられている。なお、具体的に緩衝部材４の部材としては、第１の実施の形態で示した容器本体１１及び蓋体１２は同様に熱可塑性樹脂の発泡成形体であることが好ましい（段落２５の記載参照）。
【００３９】
また、緩衝部材４の突起部４１に対向する位置の他端面４ｂには、保持片３を嵌合させるための第２係止溝４２が設けられている。第２係止溝４２は、第１係止溝１５ｂと形状、寸法が同じであり、緩衝部材４の厚さ方向に沿って延在し、その溝開口がその奥の溝部よりも狭くなっている。緩衝部材４は、周壁１５に設けられているキー溝１５ｆに突起部４１が嵌合され、緩衝部材４の一端面４ａ側が周壁１５の凹陥部１５ｅに係合されることで、周壁１５の所定位置に固定されている。
【００４０】
緩衝部材４の第２係止溝４２には、図３に示す保持片３の一方のフランジ部３１Ａが上方から差し込むことにより着脱自在に嵌合されている。そして、一方のフランジ部３１Ａが第２係止溝４２に嵌合することで保持片３が緩衝部材４を介して容器本体１１に保持され、この保持された状態で他方のフランジ部３１Ｂが緩衝部材４の他端面４ｂから突出する。このときの保持片３の他方のフランジ部３１Ｂの突出量（つまり前記他端面４ｂから他方のフランジ部３１Ｂの収納部１３側の端面（突出端３１ａ）までの距離）は、フランジ部３１の厚さ分、すなわち２ｍｍとなる。他方のフランジ部３１Ｂは、その突出端３１ａによって複数枚が積み重ねられたパネル２の外周端面２ａを接触することで保持する。この場合、収納されるパネル２は、一方の長辺及び一方の短辺の外周端面２ａが緩衝部材４を介して容器本体１１に装着された保持片３によって保持され、他方の長辺及び他方の短辺の外周端面２ａが容器本体１１に直接装着された保持片３によって保持されている。なお、周壁１５のうち緩衝部材４が設けられる長辺及び短辺の第１係止溝１５ｂは、保持片３が取り外された状態となっている。
【００４１】
また、第２の実施の形態による容器１Ａの場合も、上述した第１の実施の形態と同様に、保持片３の突出端３１ａ（図３参照）と、収納部１３に収納されたパネル２と、の間の間隔（隙間）は、１ｍｍからパネル２の長さの０．２％に２ｍｍを加えた寸法の範囲に設定されている。つまり、収納部１３に収納されるパネル２は、保持片３によって前記僅かな隙間をあけた状態で保持される。
【００４２】
また、緩衝部材４の一端面４ａ及び他端面４ｂに直交する方向の長さ寸法は、パネル２のサイズに合わせて適宜設定されている。
【００４３】
このように本第２の実施の形態の容器１Ａでは、容器本体１１と同じ発泡材料からなる緩衝部材４を介して保持片３を設けることができ、収納部１３内での保持片３の位置を変更することができるので、異なる大きさの緩衝部材４を使用することで収納するパネル２のサイズに合わせて収納部１３の大きさを変更することができる。したがって、１つの容器本体１１でサイズの違う複数種のパネル２の収納に対応することができる。
【００４４】
（第３の実施の形態）
次に、図７及び図８に示すように、第３の実施の形態による容器１Ｂは、収納部１３が縦横の仕切壁５（縦壁５Ａ、横壁５Ｂ）によって複数（ここでは４つ）の小収納部１３Ａ、１３Ａ、…に区画され、保持片３を容器本体１１の周壁１５、及び仕切壁５に設けられた構成となっている。仕切壁５は、収納部１３の平面視で中心を通るとともに周壁１５の長辺及び短辺のそれぞれに平行な縦横の直線上に配置され、上述した第２の実施の形態の周壁１５と同様に第１係止溝５１が設けられた構成となっている。つまり、仕切壁５において、周壁１５の短辺方向に平行に延びる壁を縦壁５Ａといい、長辺方向に平行に延びる壁を横壁５Ｂという。そして、仕切壁５の部材としては、第１の実施の形態で示した容器本体１１及び蓋体１２は同様に熱可塑性樹脂の発泡成形体であることが好ましい（段落２５の記載参照）。
【００４５】
区画された小収納部１３Ａの各角部付近は、容器１Ａの落下時にパネル２の角部２ｂが周壁１５や仕切壁５に接触しないように凹部１３ａが形成されている。
また、本第３の実施の形態による蓋体は、その裏面に仕切壁５を支持する凹部（図示省略）が形成されており、容器１Ｂが落下したり、振動したりする際に仕切壁５が破損するのを防止している。あるいは、仕切壁５の上端に凹部を形成しておき、蓋体１２の裏面に凸部を形成して、双方を嵌合させるようにしておいてもよい。
【００４６】
本第３の実施の形態では、１つの容器本体１１内に複数の小収納部１３Ａ、１３Ａ、…を形成することができ、小さいサイズのパネル２の収納にも対応することができる。しかも、区画されたそれぞれの小収納部１３Ａ毎に保持片３を設けることができるため、各小収納部１３Ａに収納されるパネル２を保持する保持片３が容器本体１１の周壁１５及び仕切壁５よりも小収納部１３Ａ側に突出しているので、パネル２が直接、周壁１５、及び仕切壁５に接触することはなく、前述したように保持片３だけでなく周壁１５、及び仕切壁５に対しても接触跡が残るのを防止することができる。
【００４７】
なお、第３の実施の形態の容器１Ｂの場合も、図９の変形例に示す容器１Ｃのように、周壁１５及び仕切壁５に緩衝部材４（介装部材）を設けることも可能である。この場合、上記小収納部１３Ａに収納されるパネル２よりもさらに小さなパネル２を収容することができる。
【００４８】
以上、本発明によるパネル搬送用容器の実施の形態について説明したが、本発明は上記の実施の形態に限定されるものではなく、その趣旨を逸脱しない範囲で適宜変更可能である。
例えば、本実施の形態では、Ｈ型断面形状の保持片３を用い、一方のフランジ部３１を第１係止溝１５ｂに上方から挿入する構成としているが、このような形状に限定されることはない。周壁１５に取り付けられた保持片３が周壁１５の辺方向及び周壁１５の内面１５ｃに直交する方向にずれないように嵌合されていればよいのである。
【００４９】
また、上記第３の実施の形態では、仕切壁５の縦壁５Ａと横壁５Ｂが容器本体１１の縦横の中心部を通る直線上に配置されているが、この位置に限らず、縦壁５Ａのみ、あるいは横壁５Ｂのみであってもよいし、区画される小収納部１３Ａが均等な大きさであることに限定されることもない。つまり、区画された小収納部は、仕切壁によって大小異なる大きさに区画されていてもよい。
【００５０】
その他、本発明の趣旨を逸脱しない範囲で、上記した実施の形態における構成要素を周知の構成要素に置き換えることは適宜可能である。
【符号の説明】
【００５１】
１、１Ａ、１Ｂ、１Ｃ  容器（パネル搬送用容器）
２  パネル
２ａ  外周端面
３  保持片（パネル端面保持部）
４  緩衝部材（介装部材）
５  仕切壁
１１  容器本体
１２  蓋体
１３  収納部
１３Ａ  小収納部
１５  周壁
１５ｂ  第１係止溝
１５ｅ  凹陥部
３１  フランジ部
３１Ａ  一方のフランジ部
３１Ｂ  他方のフランジ部
３１ａ  突出端
４２  第２係止溝
５１  第１係止溝
【図１】
2014193738.tif 000003
【図２】
2014193738.tif 000004
【図３】
2014193738.tif 000005
【図４】
2014193738.tif 000006
【図５】
2014193738.tif 000007
【図６】
2014193738.tif 000008
【図７】
2014193738.tif 000009
【図８】
2014193738.tif 000010
【図９】
2014193738.tif 000011